(57)【特許請求の範囲】
【請求項１】
粉砕される材料の粉砕ミルに沿った流動性を高くすることにより、粉砕率と処理量を改善する粒状材料のための粉砕ミルであって、内表面を有する粉砕容器（１０６）と、粒状材料を該粉砕容器へ供給するための材料供給手段と、該粉砕容器を第１回転軸線（１１６）の周りに回転させる第１回転駆動手段（１０８、１１０、１１２、１１４）と、第２軸線（１３８）の周りに取り付けられており、該粒状材料内に剪断を惹起するように該容器内の粒状材料に接触する剪断部材（１２６、１６０、１６４）とから成り、前記第１回転軸線と第２軸線とは、相対角度で変位されている、または変位可能であり、
さらに、前記第１回転軸線と第２軸線との相対的角度変位量を調節するための角度調節機構を含むことを特徴とする粉砕ミル。
【請求項２】
前記第２軸線は、前記剪断部材の取り付け軸の軸線である請求項１に記載の粉砕ミル。
【請求項３】
前記取り付け軸は、回転するようになされている請求項２に記載の粉砕ミル。
【請求項４】
前記第２軸線は、第２回転軸線である請求項１に記載の粉砕ミル。
【請求項５】
前記剪断部材を前記第２回転軸線の周りに回転させるための第２回転駆動手段を含む請求項４に記載の粉砕ミル。
【請求項６】
前記角度調節機構は、前記剪断部材を前記容器に対して相対的に移動させるための手段から成る請求項１に記載の粉砕ミル。
【請求項７】
前記容器の内表面は、総体的に部分球形の表面を含む請求項１に記載の粉砕ミル。
【請求項８】
前記剪断部材は、総体的に部分球形の剪断部分を有する請求項７に記載の粉砕ミル。
【請求項９】
前記剪断部材は、回転駆動部材と、該回転駆動部材に設けられた一連の剪断惹起突出部から成る請求項１に記載の粉砕ミル。
【請求項１０】
前記剪断惹起突出部は、剪断ディスクに形成されたものである請求項９に記載の粉砕ミル。
【請求項１１】
前記回転駆動部材は、回転軸である請求項１０に記載の粉砕ミル。
【請求項１２】
前記容器の内表面は、総体的に部分球形の表面を含み、前記一連の剪断ディスクは、全体として部分球形の外形を形成するように漸次増大する直径を有する請求項１０に記載の粉砕ミル。
【請求項１３】
前記剪断惹起突出部は、剪断ピンから成る請求項９に記載の粉砕ミル。
【請求項１４】
前記容器の内表面は、総体的に部分球形の表面を含み、前記回転駆動部材は、総体的に球形の端部を有する回転軸である請求項１３に記載の粉砕ミル。
【請求項１５】
前記第１回転軸線と第２軸線とは、前記容器内の一点で交差している請求項１に記載の粉砕ミル。
【請求項１６】
前記第１回転軸線と第２軸線とは、前記容器の中心点で交差している請求項１５に記載の粉砕ミル。
【請求項１７】
前記容器及び、又は前記剪断部材は、前記第１回転軸線と第２軸線との前記交差点を中心として互いに相対的に枢動するように取り付けられている請求項１５又は１６に記載の粉砕ミル。
【請求項１８】
前記第１回転駆動手段は、粒状材料が前記容器の回転により前記容器の前記内表面に圧接されて保持される層を形成するのに十分に高い速度で該容器を回転させるようになされている請求項１に記載の粉砕ミル。
【請求項１９】
前記第１回転駆動手段は、粒状材料の前記層に作用する、重力の少なくとも１００倍の力を誘起するのに十分に高い速度で該容器を回転させるようになされている請求項１８に記載の粉砕ミル。
【請求項２０】
前記第１回転駆動手段は、粒状材料の前記層中に１つ又は複数の実質的に固化された帯域を創生するのに十分に高い速度で該容器を回転させるようになされている請求項１８に記載の粉砕ミル。
【請求項２１】
前記容器は、前記剪断部材を該容器から取り出すことを可能にするために分離可能な複数の部分で構成されている請求項１に記載の粉砕ミル。
【請求項２２】
前記容器及び前記剪断部材は、それぞれの軸線に対して実質的に対称形である請求項１に記載の粉砕ミル。
【請求項２３】
前記材料供給手段は、前記第１回転駆動手段又は第２回転駆動手段の駆動部材内を通る供給通路を含む請求項１又は５に記載の粉砕ミル。
【請求項２４】
前記供給通路は、前記第１回転駆動手段又は第２回転駆動手段の駆動軸内の非回転供給管から成る請求項２３に記載の粉砕ミル。
【請求項２５】
前記供給通路は、前記第１回転駆動手段の駆動軸に沿って延長している請求項２３又は２４に記載の粉砕ミル。
【請求項２６】
粉砕される材料の粉砕ミルに沿った流動性を高くすることにより、粉砕率と処理量を改善する粒状材料を粉砕する方法であって、内表面（１１８）を有する粉砕容器（１０６）へ該粒状材料を供給し、該粉砕容器を第１回転軸線（１１６）の周りに回転させ、該容器内に剪断部材（１２６、１６０、１６４）を設け、該粒状材料内に剪断を惹起させるべく該粒状材料を該剪断部材に接触させるように該剪断部材を該粉砕容器内に第２軸線（１３８）の周りに位置づけして取り付け、その際、該第１回転軸線と第２軸線とを相対角度で変位させる、または変位可能にして、
さらに、前記第１回転軸線と第２軸線との間の角度変位量を調節する工程を含むことを特徴とする粒状材料粉砕方法。
【請求項２７】
粒状材料が前記粉砕容器の回転により容器の内表面に圧接されて保持される層を形成するのに十分に高い速度で該容器を回転させる請求項２６に記載の粒状材料粉砕方法。
【請求項２８】
粒状材料の前記層に作用する、重力の少なくとも１００倍の力を誘起するのに十分に高い速度で前記粉砕容器を回転させる請求項２７に記載の粒状材料粉砕方法。
【請求項２９】
粒状材料の前記層中に１つ又は複数の実質的に固化された帯域を創生するのに十分に高い速度で前記粉砕容器を回転させる請求項２７に記載の粒状材料粉砕方法。
【請求項３０】
前記剪断部材を前記第２軸線の周りに回転させる工程を含む請求項２６に記載の粒状材料粉砕方法。
【請求項３１】
前記第１回転軸線と第２軸線とは、相対角度で変位されている請求項１〜２５のいずれか１項に記載の粉砕ミル。
【請求項３２】
前記第１回転軸線と第２軸線とを相対角度で変位させる請求項２６〜３０のいずれか１項に記載の粒状材料を粉砕する方法。
【発明の詳細な説明】
【技術分野】
【０００１】
本発明は、回転粉砕ミル及び粉砕方法に関する。
【背景技術】
【０００２】
在来の回転粉砕ミルは、ほぼ水平な軸線の周りに回転する円筒状のドラムを備えており、回転するドラムにスラリーやパウダーなどの粒状材料が供給される。ドラムの回転は、「臨界速度」（ドラムの内表面のところにある材料をドラムの内表面即ち内壁に接触してその周りに回転させるのに必要とされる最低限の速度）の２分の１ないし４分の３の速度とされる。それによって、供給材料と粉砕媒体がドラムの内壁に沿って途中までかけ上がり、次いで内壁から離れて落下し、供給材料中の他の粒子に衝突し、ないしはそれらの粒子を粉砕する転動作用が得られる。かくして、磨滅と衝撃により粒子のサイズリダクション（より小さい粒子に粉砕すること）が達成される。
【０００３】
特許文献１には、回転容器を臨界速度を大きく上回る速度で回転させ、粒状材料の圧縮された層が形成され容器の内表面に圧接して保持されるようにする粉砕ミルの構造と、その圧縮層に接触して圧縮層内に剪断を惹起するためのディスク又はピンなどの剪断部材が開示されている。この構成は、剪断部材に隣接する圧縮材料（圧縮層）内に撹拌される高剪断帯域を創出する、非常に効果的な粉砕機構を提供する。
【０００４】
多数の剪断ディスクが使用される場合、それらのディスクは、粉砕チャンバー内に固化（solidified）帯域と撹拌帯域を交互に創出するのに十分な間隔を置いて配置される。
【０００５】
特許文献１のミルは、小規模の機械では効率的であるが、規模の大きい機械では、多数のディスクが用いられているミルの壁に沿っての移動性が制限されるため、破砕速度と処理量（スループット、即ち、与えられた時間内にミルを通して処理される材料の量）に制約を受ける。
【０００６】
特許文献２は、特許文献１のミルに新しい供給機構を組み入れた適用例を開示している。
特許文献１及び特許文献２の開示内容が本明細書に参考文献として編入されたものとする。
【先行技術文献】
【特許文献】
【０００７】
【特許文献１】国際特許出願ＷＯ９９／１１３７７号公報
【特許文献２】オーストラリア特許出願第３０２３６／００号明細書
【発明の概要】
【発明が解決しようとする課題】
【０００８】
本発明は、改良された粉砕ミル構成を提供することを企図する。
【課題を解決するための手段】
【０００９】
本発明は、その一実施形態では、粒状材料のための粉砕ミルであって、内表面を有する回転容器と、粒状材料を該容器へ供給するための材料供給手段と、該容器を第１回転軸線の周りに回転させる第１回転駆動手段と、第２軸線の周りに取り付けられており、該粒状材料内に剪断を惹起するように該容器内の粒状材料に接触する剪断惹起（誘起）部材とから成り、前記第１回転軸線と第２軸線とは、互いに角度的に変位されて（ずらされて）いることを特徴とする粉砕ミルを提供する。
【００１０】
別の実施形態では、本発明は、粒状材料を粉砕する方法であって、内表面を有する容器へ粒状材料を供給し、該容器を第１回転軸線の周りに回転させ、該容器内に剪断惹起部材を設け、該粒状材料内に剪断を惹起（誘起）させるべく該粒状材料を該剪断惹起部材に接触させるように該剪断惹起部材を該容器内に第２軸線の周りに位置づけして取り付け、その際、前記第１回転軸線と第２軸線とを互いに対して相対的に角度変位させて配置することから成る粒状材料粉砕方法を提供する。
【００１１】
更に別の実施形態では、本発明は、粒状材料のための粉砕ミルであって、内表面を有する回転容器と、粒状材料を該容器へ供給するための材料供給手段と、該容器を第１回転軸線の周りに回転させる第１回転駆動手段と、第２軸線の周りに取り付けられており、該粒状材料内に剪断を惹起するように該容器内の粒状材料に接触する剪断惹起部材と、前記第１回転軸線と第２軸線との相対的角度変位量を調節するための角度調節機構とから成る粉砕ミルを提供する。
【００１２】
更に別の実施形態では、本発明は、粒状材料を粉砕する方法であって、内表面を有する容器へ粒状材料を供給し、該容器を第１回転軸線の周りに回転させ、該容器内に剪断惹起部材を設け、該粒状材料内に剪断を惹起させるべく該粒状材料を回転する該剪断惹起部材に接触させるように該剪断惹起部材を該容器内に第２軸線の周りに位置づけして取り付け、その際、前記第１回転軸線と該第２軸線を互いに対して相対的に調節自在に角度的に変位させて配置することから成る粒状材料粉砕方法を提供する。
【００１３】
随意選択として、前記第２軸線は、前記剪断惹起部材の回転軸線とし、該粉砕ミルに該剪断惹起部材のための回転駆動手段を設けることができる。
【００１４】
又、随意選択として、該粉砕ミルに前記第第１軸線と第２軸線との角度変位量を調節するための調節手段を設けることができる。
【００１５】
本発明の粉砕ミルは、臨界速度より高い速度で容器を回転させるようにすることが有利であり、粒状材料層内に１つ又は複数の実質的な固化帯域を創出するのに充分な速度で回転させることが好ましい。
【００１６】
本発明のその他の実施形態としては、特許請求の範囲に記載に記載されたものも含まれる。
【図面の簡単な説明】
【００１７】
【図１】本発明の第１実施形態による粉砕ミルの透視図である。
【図２】図１のミルの一部破除された側面図である。
【図３】一実施例の粉砕容器及び剪断部材構成の一部破除された詳細立面図である。
【図４】図３の一部切除された詳細立面図であり、剪断ディスクの形状の詳細を示す。
【図５】別の実施例の粉砕容器及び剪断部材構成の詳細立断面図である。
【図６】更に別の実施例の粉砕容器及び剪断部材構成の詳細立断面図である。
【図７Ａ】更に別の実施例の粉砕容器及び剪断部材構成の詳細立断面図である。
【図７Ｂ】図７Ａの個々の剪断部材ブレードの１つを示す詳細立断面図である。
【図８】本発明の別の実施形態による粉砕ミルの一側面からみた透視図である。
【図９】図８の他方の側面からみた透視図であり、粉砕容器と剪断惹起部材との間の角度変位量を大きくした場合を示す。
【図１０】容器の内表面に圧接して固化帯域が形成された様子を図解的に示す一部破除された立面図である。
【発明を実施するための形態】
【００１８】
以下に添付図を参照して本発明の好ましい実施形態を説明する。
【００１９】
図１〜４を参照して説明すると、粉砕ミル１００は、第１取り付けフレーム１０４及び第２取り付けフレーム１０５を支持するベース１０２を有する。
【００２０】
第１取り付けフレーム１０４は、粉砕容器１０６及びそれに組合わされた回転駆動手段を支持する。回転駆動手段は、駆動モーター１０８と、歯車箱又は駆動プーリ機構１１０と、軸受１１４を介してフレーム１０４に取り付けられた駆動軸１１２から成る。
【００２１】
粉砕容器１０６は、駆動軸１１２の端部に第１回転軸線１１６の周りに該駆動軸と共に回転するように固定される。この実施例では、軸線１１６は、傾斜しているが、水平軸線や垂直軸線などの他の向きを用いることもできる。
【００２２】
図３及び４に明示されているように、粉砕容器１０６は、後部部分即ち後部半分体１０６ａと前部部分即ち前部半分体１０６ｂとの２つの部分で形成されており、粉砕容器１０６の内表面１１８は、部分球形状の粉砕チャンバー１２０を画定する。後部半分体１０６ａは、駆動軸１１２への取り付け部と、材料供給入口１２２を提供する。前部半分体１０６ｂは、材料排出開口１２４を提供する。材料排出開口１２４を通して、回転剪断惹起部材（単に「剪断部材」とも称する）１２６のための駆動手段が粉砕チャンバー内へ延長している。容器の後部半分体１０６ａは、図示のように、駆動軸１１２と一体に形成してもよく、あるいは、駆動軸にボルト又はその他の適当な固定手段によって固定してもよい。
【００２３】
粉砕容器１０６の前部半分体１０６ｂおよび後部半分体１０６ａは、剪断部材１２６をボルト１５２又はその他の適当な手段によって駆動軸１３６の端部に取付けた後に組み立てることができるようにするために、例えばボルト止め、クランプ締めつけ又はその他の適当な手段によって互いに着脱自在に組み付けられる。
【００２４】
図３及び４の実施例では、容器の２つの半分体１０６ａ、１０６ｂは、それらを組み付けるためのボルト（図示せず）を受容するための互いに整列したボルト穴１２７ａ、１２７ｂを有している。
【００２５】
図２に明示されているように、排出樋１２８と排出シュート又は排出管１３０が、粉砕チャンバーの排出開口１２４に近接して第１取り付けフレーム１０４に固定されている。
【００２６】
第２取り付けフレーム１０５は、回転剪断部材１２６及びそれを回転させるための駆動モーター１３４と駆動軸１３６を含む回転駆動手段を支持している。
【００２７】
モーター１３４及びその駆動軸１３６は、第１回転軸線１１６に対して角度をなして配向され、粉砕チャンバー１２０内で第１回転軸線１１６と交差する第２回転軸線１３８の周りに剪断部材１２６を回転駆動する。
【００２８】
モーター１３４，駆動軸１３６及び剪断部材１２６は、枢動フレーム１４０を介して第２フレーム１０５に取り付けられる。枢動フレーム１４０は、その両側の枢動点１４２で第２フレーム１０５に取り付けられ、回転軸線１１６と１３８との交差点と一致する球形状粉砕チャンバーの中心を通る枢動軸線１４４を画定する。
【００２９】
枢動フレーム１４０の枢動は、フレーム１０５に形成された円弧状案内スロット１４８に沿って移動する案内ピン１４６によって案内される。枢動フレーム１４０の角度は、クランプ機構１５０（図１参照）によって固定される。このようにして、剪断部材の軸線１３８と容器の軸線１１６との間の角度を調節することができる。
【００３０】
駆動軸１３６は、軸受１５１（図２参照）を介して枢動フレーム１４０に取り付けられる。
【００３１】
粉砕容器及び剪断部材の一実施例の詳細は、図３及び４に示されている。
【００３２】
図３及び４に示された実施例では、剪断部材１２６は、中心軸１５４と、部分球形状の粉砕チャンバー１２０の中心と一致する中心を有する総体的に部分球形状を形成するように漸次増大する直径とされた一連の半径方向の環状剪断ディスク１５６から成る。
【００３３】
駆動軸１３６及び剪断部材１２６の角度を調節するための上記調節機構は、剪断部材１２６と粉砕チャンバー１２０との間の同心関係を保持する。
【００３４】
使用において、容器駆動機構（１０８、１１０、１１２）は、容器１０６を高速度で、好ましくは臨界速度を超える速度、より好ましくは臨界速度を大幅に超える速度、例えば容器の内表面のところで材料に重力の少なくとも１００倍の力を付与する速度で回転駆動する。
【００３５】
一方、剪断部材のためのモーター１３４及び駆動軸１３６は、剪断部材１２６を容器１０６に対して回転駆動する。剪断部材１２６の回転は、後述するように、容器１０６の回転方向と同じ方向としてもよく、反対方向としてもよい。ある種の実施形態においては、剪断部材を回転しないように固定することもできる。
【００３６】
粉砕すべき流動性粒状材料（通常スラリー状態）は、容器駆動軸１１２の中心を貫通し供給入口１２２を通って容器内に進入する静止供給管１５８（図３参照）を介して粉砕チャンバー１２０へ連続的に供給される。供給材料は、駆動軸１１２の向き、スラリーの性質、及び求められる供給流量に応じて、供給管を通して重力供給してもよく、あるいは、ポンプ送りしてもよい。
【００３７】
このミルは、自生粉砕用、即ち、材料を別個の粉砕媒体を使わずに二次粉砕させるためのものであるが、特定の用途において必要ならば、このミルに始めに外生（別個の）粉砕媒体を装入しておき、ミル内に保持されるようにすることができる。
【００３８】
容器が高速回転することにより、供給材料は、特許文献１及び２に記載されているのとほぼ同様の態様で、図１０に図解的に示されるように容器１０６の内表面１１８に圧接して保持され内表面と共に回転する圧縮された、固化材料層１８０を形成する。
【００３９】
容器１０６と剪断ディスク１５６との相対移動により、ディスク１５６の近傍において圧縮された装入材料層の流動を惹起し。各ディスク１５６と固化材料層１８０とによって囲われた、撹拌、高剪断帯域を形成する。
【００４０】
多くの用例において、容器本体と共に回転する材料に接触する剪断ディスク又はその他の剪断部材の両側面による粉砕作用を最大限にするために、剪断部材を容器の回転方向とは反対方向に回転させることが有利である。しかしながら、例えば微細乾燥材料を粉砕するためなどの他の用例においては、遠心作用によりミル内の圧力を最大限にするために、容器と剪断部材を同じ方向に、しかし異なる速度で回転させることが有利な場合もある。あるいは又、剪断部材を固定状態に保持し、容器の回転だけに依存して作動回転（相対回転）を得るようにすることが望ましい用例もある。
【００４１】
剪断帯域内でのサイズリダクション（より小さい粒子に粉砕すること）は、主として圧力下での剪断及び磨滅により、そして、強められた「重力」力による圧縮破砕とが相俟って達成される。又、特に約５〜１０μｍより大きい、比較的粒度の大きい粒子の場合は、粒子間衝撃も、サイズリダクションに何らかの役割りを果たすことがある。
【００４２】
容器と剪断部材の回転速度、及び、材料床の深さに影響する排出開口１２４の半径方向の位置は、材料床内の圧力を変えるために調節することができる。例えば、多くの用例において、粒子破砕を最大限にするために例えば１００Ｇ以上の非常に高いＧ力を用いることが有利であるが、例えば粒子の表面層の磨滅を行うための用途などのある種の用途においては、２０Ｇ程度の比較的低いＧ力が適する場合もある。
【００４３】
容器１０６の回転軸線１１６と剪断部材１２６の回転軸線１３８との間に角度変位が存在するので、容器と剪断ディスク１５６が回転すると、剪断ディスク１５６を容器の内表面に沿って相対移動させる。従って、特許文献１及び２の発明のように固化材料層に単純に溝を形成するのではなく、本発明のこの実施例では、容器と剪断部材との相対回転により、粉砕チャンバーに沿って長手方向にも材料を流動させるので、ミルを通しての長手方向の粉砕材料の送りを助成する。
【００４４】
剪断ディスク１５６が容器の内表面に沿って長手方向に相対移動することの結果として、固化材料帯域が容器の内表面のところに保持されるが、装入材料は、ミルの本体内で長手方向にも流動させるので、粉砕のための大きな活動容積が得られる。
【００４５】
枢動フレーム１４０の角度を調節することにより容器に対する剪断部材の角度を調節することによって、材料の上述した長手方向の流動速度、従って材料のミル内の滞留時間及び処理量を特定の粉砕用例（アプリケーション）に適合するように調節することができる。
【００４６】
図５は、図１〜４の実施例のための異なるタイプの剪断部材形状を示す。この剪断部材は、球形部材１６０と、その外表面に設けられた複数の剪断ピン１６２から成る。
【００４７】
図６は、乾燥粒状材料を粉砕するのに適した更に別の実施例を示す。
【００４８】
この実施例の粉砕容器及び供給機構は図１〜４の実施例に関連して上述したものと同様であり、同様の構成分には同じ参照符号が付されている。
【００４９】
剪断部材１６４は、球形であり、その軸線１３８’は、粉砕チャンバーの一方の側へ偏倚され（ずらされ）、それによって剪断部材１６４と粉砕容器の内表面との間の間隙が、一方の側「Ｘ」において広く、他方の側「Ｙ」では狭くなっている。
【００５０】
容器を回転させると、材料が狭い間隙Ｙへ送り込まれ、相対的に回転する容器と剪断部材が、実際上乳鉢と乳棒の如くに作動し、剪断部材と、上述した回転する固化材料層との間で粒状材料の剪断を惹起する。
【００５１】
図３〜４及び図５の実施例におけるのと同様に、容器１０６の回転軸線と剪断部材１６４の回転軸線との間の角度偏倚により、粒子の長手方向の流動を惹起する。
【００５２】
球形の剪断部材１６４は、図に示されるように平滑な表面であってもよく、あるいは、溝やうね（リッジ）又は粉砕作用を強めるためのその他の形状の部材を有するものとしてもよい。
【００５３】
図７Ａ及び７Ｂは、剪断部材の更に別の形態（形状及び配列）を示す。この例では、剪断部材は、一連の切欠き付きディスク形ブレード１６６から成り、各ブレードは、突出部１６８とそれらの間に形成されたＶ字形切欠き１７０を有する。これらの突出部は、図に示されるように実質的に半径方向に突出しているが、円周方向に及び、又は長手方向に傾斜をもたせてもよい。
【００５４】
各ブレード１６６は、中心取り付け孔１７２を有する。この中心取り付け孔は、取り付け軸（駆動軸）１３６の対応する形状とされた部分に取り付けるために正方形又は長方形（図示）のような非円形とすることができる。
【００５５】
これらのブレード１６６は、それらの配列が回転軸線を中心とする剪断部材のバランスされた回転を可能にするようになされる限り、それらのブレードの切欠き１７０が軸線方向に整列するように軸１３６に取り付けてもよく、あるいは、切欠き１７０が円周方向に偏倚される（食い違う）ように軸１３６に取り付けてもよい。
【００５６】
図７Ａ及び７Ｂの剪断部材の形態は、図３及び４の切れ目のないディスクに比べて、剪断部材に作用する抗力を小さくすること、及び、又は粉砕材料のミルを通しての長手方向の流動性を高くすることが望ましいような用例に適している。
【００５７】
図８及び９は、本発明の粉砕ミルの水平配置型実施形態を示す。
【００５８】
図８及び９の粉砕ミルの各構成部品のうち図１〜７の粉砕ミルの構成部品と同様のものの参照番号は、図１〜７の粉砕ミルの同様な構成部品のそれと同じであるが、１００を付加して２００台の番号で示されている。例えば、図８及び９の粉砕ミル２００の粉砕容器２０６は、図２の粉砕容器１０６と同様のものである。
【００５９】
駆動モーター２０８、歯車箱又は駆動プーリ機構（図を簡略にするため図示せず）、軸受２１４及び駆動軸２１２を含む駆動機構を備えた粉砕容器２０６は、ベース２０２に固定された第１取り付けフレーム２０４に取り付けられる。
【００６０】
剪断部材（図示せず）と、その駆動機構（モーター２３４、歯車箱又は駆動プーリ機構（図を簡略にするため図示せず）、軸受２５１及び駆動軸２３６を含む）は、枢動フレーム２４０を介してベース２０２に取り付けられる。枢動フレーム２４０は、１対の容器半分体２０６ａと２０６ｂとから成る粉砕容器内の粉砕チャンバー（図示せず）の中心の真下に位置する枢動点２４２の周りに水平に枢動させることができ、ベース２０２と枢動フレーム２４０とに形成された整列穴２６６を用いて複数の所定角度のうちの任意の１つに固定することができる。
【００６１】
図８は、駆動軸２３６に取り付けられた剪断部材（図示せず）を粉砕チャンバーに対して比較的小さい偏倚角に設定した場合を示し、図９は、ミルを通しての材料の流れを速くする（処理量を大きくする）ために剪断部材を粉砕チャンバーに対して比較的大きい偏倚角に設定した場合を示す。
【００６２】
図８及び９の粉砕ミルの全体的な作動は、先に説明した各実施形態の作動と同様であり、又、図８及び９の実施形態にも図３及び４、図５，６又は７に示されたようないろいろな剪断部材を組み合わせて用いることもできる。
【００６３】
容器の回転軸線と剪断部材の軸線との間の最適角度変位は、粉砕すべき材料、ミルの直径、及び、容器及び剪断部材の回転速度に応じて変わる。一般に、ミルの直径が大きければ大きいほど、角度変位を一定とした場合、容器の内表面に対する剪断部材の長手方向の相対的移動距離が長くなるので、ミルの直径を大きくした場合は、それだけ角度変位量を小さくする必要がある。例えば、直径２５０ｍｍの粉砕ミルに対して約５°の角度変位を用いることができるが、直径２．５ｍの大径粉砕ミルに対しては角度変位を僅か２．５°とする必要がある。
【００６４】
典型的な角度変位量は、０．２°から２０°の範囲、より一般的には０．５°から１５°の範囲、好ましくは約１°から１０°の範囲で変更することができる。
【００６５】
又、ここに例示した各実施形態は、容器の回転軸線と剪断部材の軸線との間の角度を調節自在とする構成であるが、軸線間の角度を固定とした実施形態を用いることもできる。例えば、特定の用例に対して最適の角度を見極めるために試験稼働で調節自在の角度を使用し、その見極められた角度に固定された粉砕ミルを構成することができる。
【００６６】
本明細書において、「から成る・・・」という言葉は、「広い」意味、即ち、「を含む・・・」という意味に解釈すべきであり、「狭い」意味で、即ち、「からだけから成る」という意味に解釈すべきである。「から成る。」なども、同様に広い意味に解釈すべきである。
【００６７】
以上、本発明の特定の実施形態を説明したが、本発明は、その本質的な特徴から逸脱することなくいろいろな形態で実施することが可能であることは、当業者には明らかであろう。従って、ここに例示した実施形態及び実施例は、すべての点で例示として説明されたものであり、本発明を限定するものではないことを理解されたい。本発明の範囲は、上述した説明によってではなく、特許請求の範囲の記載によって規定されるのであり、請求項の意味と均等物の範囲内に該当するすべての変更及び改変が本発明に包含されるものとする。又、本明細書において周知の従来技術として言及したことが、必ずしも、そのような従来技術が本発明に関連する技術分野の当業者によって普通に知られていることを認めたことにはならないことを理解されたい。
【符号の説明】
【００６８】
１００  粉砕ミル
１０２  ベース
１０４  第１取り付けフレーム
１０５  第２取り付けフレーム
１０６  粉砕容器
１０６ａ  後部部分、後部半分体
１０６ｂ  前部部分、前部半分体
１０８  駆動モーター
１１０  歯車箱又は駆動プーリ機構
１１２  駆動軸
１１４  軸受
１１６  回転軸線
１１８  内表面
１２０  粉砕チャンバー
１２２  材料供給入口
１２４  材料排出開口
１２６  剪断部材
１２７ａ  ボルト穴
１２８  排出樋
１３０  排出管
１３４  駆動モーター
１３６  駆動軸
１３８  回転軸線
１４０  枢動フレーム
１４２  枢動点
１４４  枢動軸線
１４６  案内ピン
１４８  案内スロット
１５０  クランプ機構
１５１  軸受
１５２  ボルト
１５４  中心軸
１５６  剪断ディスク
１５８  静止供給管
１６２  剪断ピン
１６４  剪断惹起部材、剪断部材
１６６  ディスク形ブレード
１６８  突出部
１７２  中心取り付け孔
１８０  固化材料層
２００  粉砕ミル
２０２  ベース
２０４  フレーム
２０６  粉砕容器
２０６ａ、２０６ｂ  容器半分体
２０８  駆動モーター
２１２  駆動軸
２１４  軸受
２３６  駆動軸
２４０  枢動フレーム
２４２  枢動点
２５１  軸受
２６６  整列穴
【図１】
0005473916.tif 000002
【図２】
0005473916.tif 000003
【図３】
0005473916.tif 000004
【図４】
0005473916.tif 000005
【図５】
0005473916.tif 000006
【図６】
0005473916.tif 000007
【図７Ａ】
0005473916.tif 000008
【図７Ｂ】
0005473916.tif 000009
【図８】
0005473916.tif 000010
【図９】
0005473916.tif 000011
【図１０】
0005473916.tif 000012